(57)【要約】【課題】水溶性有機溶媒を使用せず、引火や中毒の問題を生じないグリースの製造方法、およびその製造方法で得られたグリースを提供する。【解決手段】グリースの製造方法は、脂肪族基を有する芳香族スルホン酸のカルシウム塩を増ちょう剤として使用し、水溶性有機溶媒を使用しないでグリース化することを特徴とする。本発明のグリースの製造方法によれば、グリース化するときに水溶性有機溶媒を使用しないため、グリース化工程において当該有機溶媒による中毒や引火の問題を生じない。本発明は特に、カルシウムスルホネートコンプレックスグリースの製造方法として好適である。【選択図】なし【特許請求の範囲】
【請求項１】
脂肪族基を有する芳香族スルホン酸のカルシウム塩を増ちょう剤として使用し、
水溶性有機溶媒を使用しないでグリース化する
ことを特徴とするグリースの製造方法。
【請求項２】
請求項１に記載のグリースの製造方法において、
前記脂肪族基がアルキル基またはアルケニル基である
ことを特徴とするグリースの製造方法。
【請求項３】
請求項２に記載のグリースの製造方法において、
前記アルキル基の炭素数が１０以上１６以下である
ことを特徴とするグリースの製造方法。
【請求項４】
請求項１または請求項２に記載のグリースの製造方法において、
前記芳香族スルホン酸がベンゼンスルホン酸である
ことを特徴とするグリースの製造方法。
【請求項５】
請求項１から請求項４までのいずれか１項に記載のグリースの製造方法において、
前記水溶性有機溶媒がメタノール、イソプロパノール、へキシレングリコール、エタノール、エチレングリコール、およびメチルセルソルブの少なくともいずれかである
ことを特徴とするグリースの製造方法。
【請求項６】
請求項１から請求項５までのいずれか１項に記載のグリースの製造方法において、
増ちょう剤として過塩基性アルキルベンゼンスルホン酸カルシウムを併用する
ことを特徴とするグリースの製造方法。
【請求項７】
請求項６に記載のグリースの製造方法において、
前記過塩基性アルキルベンゼンスルホン酸カルシウムのアルキル基の炭素数が１０以上２４以下である
ことを特徴とするグリースの製造方法。
【請求項８】
請求項６または請求項７に記載のグリースの製造方法において、
前記過塩基性アルキルベンゼンスルホン酸カルシウムの塩基価が１００ｍｇＫＯＨ／ｇ以上である
ことを特徴とするグリースの製造方法。
【請求項９】
請求項１から請求項８までのいずれか１項に記載のグリースの製造方法において、
さらに炭素数が８以上２０以下である一塩基性脂肪酸を配合する
ことを特徴とするグリースの製造方法。
【請求項１０】
請求項１から請求項９までのいずれか１項に記載のグリースの製造方法において、
さらに二塩基性脂肪酸および酢酸の少なくともいずれかを配合する
ことを特徴とするグリースの製造方法。
【請求項１１】
請求項１から請求項１０までのいずれか１項に記載の製造方法により製造されたグリースであって、
当該グリースの混和ちょう度が２２０以上、３８５以下である
ことを特徴とするグリース。
【発明の詳細な説明】
【技術分野】
【０００１】
本発明は、グリースの製造方法およびグリースに関する。
【背景技術】
【０００２】
カルシウムスルホネートコンプレックスグリースは、耐熱性や耐水性に優れるため、自動車のエンジン周辺の摺動部に使用されるほか、圧延機等の軸受やアウトドアで使用される機器などに使用されている（例えば、特許文献１〜３参照）。
このようなカルシウムスルホネートコンプレックスグリースの製造方法はよく知られている。具体的には、基油に分散させた過塩基性カルシウムスルホネートに水、水溶性の有機溶媒（例えば、メタノール、イソプロパノール、メチルセルソルブ、およびヘキシレングリコール等）、高級脂肪酸、および低級脂肪酸を加えて加熱・撹拌することで容易にグリース状液体が得られる。そしてこのグリース状液体を１００℃以上に加熱して水および有機溶媒を除去することにより最終的にグリースが得られる。
【先行技術文献】
【特許文献】
【０００３】
【特許文献１】特開２００６−３３５２８６号公報
【特許文献２】特開２００７−０８４６２０号公報
【特許文献３】特開２０１０−０３１１２３号公報
【発明の概要】
【発明が解決しようとする課題】
【０００４】
一方、上記した有機溶媒の除去方法では、引火性や中毒性などの危険を伴う。それ故、有機溶媒を環境より回収する必要がある。しかし、メタノールやイソプロパノールなどの低沸点溶媒は引火性および爆発性が高く、防爆構造など専用の装置を導入しなければ安全に取り扱うことができず、グリース製造コストも過大となる。一方、ヘキシレングリコールなどの高沸点溶媒は、引火性や爆発性は低いものの蒸発に高温・長時間を要し生産効率の低下を招いたり、過剰な加熱によるグリースの劣化を引き起こすおそれがある。
【０００５】
本発明の目的は、水溶性有機溶媒を使用せず、引火や中毒の問題を生じないグリースの製造方法、およびその製造方法で得られたグリースを提供することにある。
【課題を解決するための手段】
【０００６】
本発明者らは、鋭意研究した結果、脂肪族基を有する芳香族スルホン酸を増ちょう剤として使用することで水溶性有機溶媒を使用せずにグリース化が可能であることを見い出し、本発明を完成するに至った。すなわち、本発明は、以下に示すようなグリースの製造方法、およびグリースを提供するものである。
【０００７】
（１）脂肪族基を有する芳香族スルホン酸のカルシウム塩を増ちょう剤として使用し、水溶性有機溶媒を使用しないでグリース化することを特徴とするグリースの製造方法。
（２）上述の（１）に記載のグリースの製造方法において、前記脂肪族基がアルキル基またはアルケニル基であることを特徴とするグリースの製造方法。
（３）上述の（２）に記載のグリースの製造方法において、前記アルキル基の炭素数が１０以上１６以下であることを特徴とするグリースの製造方法。
（４）上述の（１）または（２）に記載のグリースの製造方法において、前記芳香族スルホン酸がベンゼンスルホン酸であることを特徴とするグリースの製造方法。
（５）上述の（１）から（４）までのいずれか１つに記載のグリースの製造方法において、前記水溶性有機溶媒がメタノール、イソプロパノール、へキシレングリコール、エタノール、エチレングリコール、およびメチルセルソルブの少なくともいずれかであることを特徴とするグリースの製造方法。
（６）上述の（１）から（５）までのいずれか１つに記載のグリースの製造方法において、増ちょう剤として過塩基性アルキルベンゼンスルホン酸カルシウムを併用することを特徴とするグリースの製造方法。
（７）上述の（６）に記載のグリースの製造方法において、前記過塩基性アルキルベンゼンスルホン酸カルシウムのアルキル基の炭素数が１０以上２４以下であることを特徴とするグリースの製造方法。
（８）上述の（６）または（７）に記載のグリースの製造方法において、前記過塩基性アルキルベンゼンスルホン酸カルシウムの塩基価が１００ｍｇＫＯＨ／ｇ以上であることを特徴とするグリースの製造方法。
（９）上述の（１）から（８）までのいずれか１つに記載のグリースの製造方法において、さらに炭素数が８以上２０以下である一塩基性脂肪酸を配合することを特徴とするグリースの製造方法。
（１０）上述の（１）から（９）までのいずれか１つに記載のグリースの製造方法において、さらに二塩基性脂肪酸および酢酸の少なくともいずれかを配合することを特徴とするグリースの製造方法。
（１１）上述の（１）から（１０）までのいずれか１つに記載の製造方法により製造されたグリースであって、当該グリースの混和ちょう度が２２０以上、３８５以下であることを特徴とするグリース。
【発明の効果】
【０００８】
本発明のグリースの製造方法によれば、グリース化するときに水溶性有機溶媒を使用しないため、グリース化工程において当該有機溶媒による中毒や引火の問題を生じない。本発明は特に、カルシウムスルホネートコンプレックスグリースの製造方法として好適である。
【発明を実施するための形態】
【０００９】
本発明のグリースの製造方法（以下、「本製造方法」ともいう。）は、脂肪族基を有する芳香族スルホン酸のカルシウム塩を増ちょう剤として使用し、水溶性有機溶媒を使用しないでグリース化することを特徴とする。以下、詳細に説明する。
【００１０】
［基油］
本製造方法で用いられる基油としては、特に限定はなく、通常のグリース製造に使用される鉱油や合成油が挙げられる。これらは、単独で、または混合物として使用することができる。
鉱油としては、減圧蒸留、油剤脱れき、溶剤抽出、水素化分解、溶剤脱ろう、硫酸洗浄、白土精製、および水素化精製等を適宜組み合わせて精製したものを用いることができる。
ここで、カルシウムスルホネートコンプレックスグリースを製造する場合は、基油として鉱油を用いることが好ましい。また、鉱油の４０℃動粘度は、１０ｍｍ２／ｓ以上６００ｍｍ２／ｓ以下であることが好ましい。
【００１１】
合成油としては、炭化水素系合成油、エステル系油、エーテル系油などが挙げられる。
炭化水素系合成油としては、例えば、芳香族系油として、モノアルキルベンゼン、ジアルキルベンゼン等のアルキルベンゼン、あるいはモノアルキルナフタレン、ジアルキルナフタレン、ポリアルキルナフタレン等のアルキルナフタレン等が挙げられる。脂肪族系油としては、ノルマルパラフィン、イソパラフィン、ポリブテン、ポリイソブチレン、オレフィン系オリゴマー（１−デセンオリゴマーや１−デセンとエチレンのコオリゴマー等）が挙げられる。
エステル系油としては、ジブチルセバケート、ジ−２−エチルヘキシルセバケート、ジオクチルアジペート、ジイソデシルアジペート、ジトリデシルアジペート、ジトリデシルグルタレート、メチル・アセチルシノレート等のジエステル油、あるいはトリオクチルトリメリテート、トリデシルトリメリテート、テトラオクチルピロメリテート等の芳香族エステル油、更にはトリメチロールプロパンカプリレート、トリメチロールプロパンベラルゴネート、ペンタエリスリトール−２−エチルヘキサノエート、ペンタエリスリトールベラルゴネート等のポリオールエステル油、さらには、多価アルコールと二塩基酸・一塩基酸の混合脂肪酸とのオリゴエステルであるコンプレックスエステル油等が挙げられる。
エーテル系油としては、モノアルキルトリフェニルエーテル、アルキルジフェニルエーテル、ジアルキルジフェニルエーテル、ペンタフェニルエーテル、テトラフェニルエーテル、モノアルキルテトラフェニルエーテル、およびジアルキルテトラフェニルエーテル等のフェニルエーテル油が挙げられる。
【００１２】
［増ちょう剤］
本製造方法で用いられる増ちょう剤は、脂肪族基を有する芳香族スルホン酸のカルシウム塩である。このカルシウム塩は、基油と水の双方に親和性が高いので単なる増ちょう剤としてではなく、いわば界面活性剤的な役割も果たすことができる。従来、増ちょう剤が溶けている基油と水との親和性を向上させるために、グリース化工程では水溶性有機溶媒を添加してきたが、本製造方法では、当該溶媒の代わりに前記した特定のカルシウム塩を用いている。
なお、従来用いられていた水溶性有機溶媒としては、メタノール、エタノール、イソプロパノール、ブタノール、へキシレングリコール、メチルセルソルブ、エチレングリコール、およびペンタンジオールなどが挙げられる。
【００１３】
増ちょう剤として用いられる前記芳香族スルホン酸のカルシウム塩の脂肪族基としては基油との親和性、安定性の観点よりアルキル基またはアルケニル基が好ましく、特にアルキル基がより好ましい。
前記したアルキル基やアルケニル基の炭素数としては、基油との親和性の観点より１０以上１６以下が好ましい。また、前記芳香族スルホン酸としては、増ちょう剤としての効果の観点よりベンゼンスルホン酸を用いることが好ましい。
前記した芳香族スルホン酸のカルシウム塩の配合量としては、増ちょう剤としての効果の観点よりグリース全量基準で５質量％以上３０質量％以下が好ましく、８質量％以上２０質量％以下がより好ましい。
【００１４】
また、増ちょう剤としては過塩基性アルキルベンゼンスルホン酸カルシウムを併用することが好ましい。この過塩基性アルキルベンゼンスルホン酸カルシウムとしては、いわゆるカルシウムスルホネートコンプレックスグリースを製造する際に用いられるものが好ましい。なお、この過塩基性アルキルベンゼンスルホン酸カルシウムは、前記した脂肪族基を有する芳香族スルホン酸のカルシウム塩とは異なり、水に対する親和性はない。
【００１５】
前記した過塩基性アルキルベンゼンスルホン酸カルシウムのアルキル基の炭素数は、基油への溶解性の観点より１０以上２４以下であることが好ましい。また前記した過塩基性アルキルベンゼンスルホン酸カルシウムの塩基価（ＪＩＳ Ｋ ２５０１に準拠した過塩素酸法による塩基価）は、増ちょう効果の観点から、１００ｍｇＫＯＨ／ｇ以上であることが好ましく、２００ｍｇＫＯＨ／ｇ以上であることがより好ましく、３００ｍｇＫＯＨ／ｇ以上であることがさらに好ましい。一方、基油への溶解性の観点より、この塩基価は５００ｍｇＫＯＨ／ｇ以下であることが好ましい。
前記した過塩基性アルキルベンゼンスルホン酸カルシウムの配合量としては、増ちょう剤としての効果の観点よりグリース全量基準で１０質量％以上５０質量％以下が好ましく、１５質量％以上４０質量％以下がより好ましい。
【００１６】
［他の配合成分］
本製造方法では、得られるグリースの混和ちょう度を制御する観点より、炭素数が８以上２０以下である一塩基性脂肪酸をさらに配合することが好ましい。
このような一塩基性脂肪酸としては、例えば、１２−ヒドロキシステアリン酸、ステアリン酸、パルミチン酸、ミスチリン酸、ラウリン酸、カプリン酸、アラギン酸、オレイン酸、リノレン酸、およびそれらの混合物などが好ましく挙げられる。
上記した一塩基性脂肪酸の配合量としては、適度な混和ちょう度を得る観点よりグリース全量基準で０．１質量％以上１０質量％以下が好ましく、０．５質量％以上５質量％以下がより好ましい。
【００１７】
本製造方法では、さらに二塩基性脂肪酸および酢酸の少なくともいずれかを配合することが好ましい。
二塩基性脂肪酸を配合することで、得られたグリースの耐熱性を上げることが可能となる。二塩基性脂肪酸としては、例えば、アゼライン酸、セバシン酸、アジピン酸、グルタル酸、コハク酸、マロン酸、およびシュウ酸、などが好ましく挙げられる。
上記した二塩基性脂肪酸の配合量としては、効果の観点よりグリース全量基準で０．５質量％以上１０質量％以下が好ましく、１質量％以上５質量％以下がより好ましい。
また、酢酸を配合することで、グリース化をより促進させることが可能となる。酢酸の配合量としては、効果の観点よりグリース全量基準で０．１質量％以上１０質量％以下が好ましく、０．５質量％以上５質量％以下がより好ましい。
【００１８】
［グリースの製造方法およびグリース］
本製造方法では、基油と前記した増ちょう剤を用いてグリース化を行うが、水溶性有機溶媒を配合しないことを除けば、従来のグリース製造方法がそのまま採用できる。
例えば、基油に分散させた脂肪族基を有する芳香族スルホン酸に水、水酸化カルシウム、過塩基性アルキルベンゼンスルホン酸カルシウム、高級脂肪酸、および低級脂肪酸などを加えて加熱・撹拌すれば容易にグリース状液体を得ることができる。そしてこのグリース状液体を１００℃以上に加熱して水を除去することにより最終的にグリースが得られる。この例の場合は、いわゆるカルシウムスルホネートコンプレックスグリースとなる。
本発明のグリースは、混和ちょう度が２２０以上、３８５以下（ＪＩＳ Ｋ ２２２０．７準拠）であることが好ましい。混和ちょう度が２２０以上であると、グリースが硬くないため低温始動性が良好である。一方、混和ちょう度が３８５以下であると、グリースが軟らかすぎることなく潤滑性が良好である。
本発明のグリースは、製鉄装置、抄紙機、自動車用部品、建設機械、風車用軸受・旋回装置、減速機、軸受、スプライン、および等速ジョイントなどに好ましく使用できる。
【００１９】
［添加剤］
本発明のグリースには、本発明の効果を損なわない範囲で種々の添加剤を配合することができる。このような添加剤としては、酸化防止剤、極圧剤、防錆剤、および固体潤滑剤などが挙げられる。
酸化防止剤としては、例えばアルキル化ジフェニルアミン、フェニル−α−ナフチルアミン、およびアルキル化−α−ナフチルアミン等のアミン系酸化防止剤、２，６−ジ−ｔ−ブチル−４−メチルフェノール、および４，４ −メチレンビス（２，６−ジ−ｔ−ブチルフェノール）等のフェノール系酸化防止剤などが挙げられる。これらの酸化防止剤の好ましい配合量は、グリース全量基準で０．０５質量％以上２質量％以下程度である。
【００２０】
極圧剤としては、ジアルキルジチオリン酸亜鉛，ジアルキルジチオリン酸モリブデン，無灰系ジチオカーバメートや亜鉛ジチオカーバメート、モリブデンジチオカーバメートなどのチオカルバミン酸類、硫黄化合物（硫化油脂、硫化オレフィン、ポリサルファイド、硫化鉱油、チオリン酸類、チオテルペン類、ジアルキルチオジピロピオネート類等）、リン酸エステル、亜リン酸エステル（トリクレジルホスフェート、トリフェニルフォスファイト等）などが挙げられる。極圧剤の好ましい配合量はグリース全量基準で０．１質量％以上、５質量％以下程度である。
【００２１】
防錆剤としては、ベンゾトリアゾール、ステアリン酸亜鉛、コハク酸エステル、コハク酸誘導体、チアジアゾール、ベンゾトリアゾール、ベンゾトリアゾール誘導体、亜硝酸ナトリウム、石油スルホネート、ソルビタンモノオレエート、脂肪酸石けん、およびアミン化合物などが挙げられる。防錆剤の好ましい配合量は、グリース全量基準で０．０１質量％以上１０質量％以下程度である。
固体潤滑剤としては、ポリイミド、ＰＴＦＥ、黒鉛、金属酸化物、窒化硼素、メラミンシアヌレート（ＭＣＡ）、および二硫化モリブデンなどが挙げられる。
以上のような各種添加剤は、単独で、または数種組み合わせて配合してもよい。
【実施例】
【００２２】
実施例および比較例を挙げて本発明をさらに詳しく説明するが、本発明はこれらの記載内容に何ら制限されるものではない。
具体的には、以下に示すように種々の条件でグリースを製造し、グリース化したものについては、混和ちょう度を測定するとともに赤外線吸収スペクトル（ＩＲ）を測定した。ちなみに、カルシウムスルホネートコンプレックスグリースのグリース化確認には、一般にＩＲが使用されている。過塩基性カルシウムスルホネート原料は８６０〜８６５ｃｍ−１に炭酸カルシウムの吸収ピークを持つが、ミセル構造が改質されグリース化すると炭酸カルシウムがカルサイト構造となり、炭酸カルシウムの吸収ピークが８８０〜８９０ｃｍ−１にシフトする。
【００２３】
〔実施例１〕
５００ｍＬセパラブルフラスコに基油（鉱油  ４０℃動粘度：９０ｍｍ２／ｓ）４０ｇ、ドデシルベンゼンスルホン酸２５ｇ、水酸化カルシウム８．２ｇ、および水１０ｇを加え室温で２０分、８０ｒｐｍで撹拌した。この混合液に対し、過塩基性カルシウムスルホネート（塩基価４００ｍｇＫＯＨ／ｇ）５０ｇ、１２−ヒドロキシステアリン酸４．０ｇ、酢酸２．０ｇ、アゼライン酸２．０ｇ、および鉱油（上述）６５ｇを追加して８０℃で３時間加熱した。
その後、１２０℃で３０分間加熱し水を蒸発させたのち、さらに温度を１６０℃に上げて１時間加熱した。
室温まで冷却を行った後、酸化防止剤を４．０ｇ加え、ロールミルに２回かけてグリースを得た。得られたグリースの混和ちょう度を測定し（ＪＩＳ Ｋ ２２２０．７に準拠）、ＩＲによりカルサイト構造の特徴ピークを確認した。グリース製造用組成物の配合組成、得られたグリースの混和ちょう度、およびＩＲ測定結果を表１に示す。
【００２４】
〔実施例２〕
ドデシルベンゼンスルホン酸を１７ｇ、２度目に加える鉱油を７３ｇとした以外は、実施例１と同様にしてグリースを製造した。グリース製造用組成物の配合組成、得られたグリースの混和ちょう度、およびＩＲ測定結果を表１に示す。
【００２５】
〔実施例３〕
ドデシルベンゼンスルホン酸を１７ｇ、過塩基性カルシウムスルホネートを４２ｇ、２度目に加える鉱油を８１ｇとした以外は、実施例１と同様にしてグリースを製造した。グリース製造用組成物の配合組成、得られたグリースの混和ちょう度、およびＩＲ測定結果を表１に示す。
【００２６】
〔実施例４〕
ドデシルベンゼンスルホン酸を１０ｇ、過塩基性カルシウムスルホネートを８０ｇ、２度目に加える鉱油を３８ｇとした以外は、実施例１と同様にしてグリースを製造した。グリース製造用組成物の配合組成、得られたグリースの混和ちょう度、およびＩＲ測定結果を表１に示す。
【００２７】
〔比較例１〕
５００ｍＬセパラブルフラスコに、鉱油９４ｇ、過塩基性カルシウムスルホネート９６ｇ、酢酸２ｇ、１２−ヒドロキシステアリン酸８ｇ、ヘキシレングリコール４ｇ、および水１０ｇを加えた。この混合液を８０ｒｐｍで撹拌しながら８０℃で１時間加熱した後、温度を１２０℃に上げ３０分加熱した。その後、１８０℃に温度を上げ、１時間半以上加熱し、ヘキシレングリコールが飛びきったことを確認して加熱を終了した。
室温まで冷却を行った後、酸化防止剤を４．０ｇ加え、ロールミルに２回かけてグリースを得た。得られたグリースの混和ちょう度を測定し、ＩＲによりカルサイト構造の特徴ピークを確認した。グリース製造用組成物の配合組成、得られたグリースの混和ちょう度、およびＩＲ測定結果を表２に示す。
【００２８】
〔比較例２〕
ヘキシレングリコールを配合しないこと以外は比較例１と同様にしてグリースの製造を試みた。しかし、水溶性有機溶剤を用いていないのでグリース化できなかった。グリース製造用組成物の配合組成、および得られた組成物のＩＲ測定結果を表２に示す。
【００２９】
〔比較例３〕
ヘキシレングリコールを配合せず、水酸化カルシウムを８．０ｇ配合した以外は比較例１と同様にしてグリースの製造を試みた。しかし、水溶性有機溶剤を用いていないのでグリース化できなかった。グリース製造用組成物の配合組成、および得られた組成物のＩＲ測定結果を表２に示す。
【００３０】
〔比較例４〕
ヘキシレングリコールを配合せず、水酸化カルシウムを８．０ｇ配合し、１２−ヒドロキシステアリン酸を２８ｇ配合した以外は比較例１と同様にしてグリースの製造を試みた。しかし、水溶性有機溶剤を用いていないのでグリース化できなかった。グリース製造用組成物の配合組成、および得られた組成物のＩＲ測定結果を表２に示す。
【００３１】
〔比較例５〕
５００ｍＬセパラブルフラスコに、鉱油４５ｇ、過塩基性カルシウムスルホネート（ルブリゾール社製  ８６ＧＲ）１５５ｇ、および水１５ｇを混ぜた。この混合液を８０ｒｐｍで撹拌しながら８０℃で１時間加熱した後、温度を１２０℃に上げ３０分加熱した。その後、１８０℃に温度を上げ、１時間半以上加熱し、ヘキシレングリコールが飛びきったことを確認して加熱を終了した。以下は比較例１と同様に処理を行った。
【００３２】
【表１】
2014214264.tif 000002
【００３３】
【表２】
2014214264.tif 000003
【００３４】
〔評価結果〕
比較例１は、カルシウムスルホネートコンプレックスグリースの一般的な製造方法であるが、水溶性有機溶剤であるヘキシレングリコールの除去に高温と長時間を有するため煩雑である。また、比較例２〜４は、比較例１から水溶性有機溶剤を除いた例であるがいずれもグリース化が不可能であった。ちなみに比較例４では、１２−ヒドロキシステアリン酸の配合割合を増やすことにより基油（鉱油）と水に対する界面活性剤の役割を期待したがその効果は認められなかった。
また、比較例５は過塩基性カルシウムスルホネートとして市販品を用いた例である。当該製品はカルシウムスルホネートコンプレックス石けん用グリース原料用として販売されているものであり、成分に水溶性有機溶媒としてヘキシレングリコールを含むことがＭＳＤＳに記載されている。そのため比較例１と同様、この溶媒を除去するには高温・長時間を必要とする。
これに対して実施例１〜４では、ドデシルベンゼンスルホン酸と水酸化カルシウムが配合されているので反応系内で所定のスルホン酸カルシウム塩となり、鉱油と水の親和性が向上し、グリース化が容易となる。また、水溶性有機溶媒を用いていないことから引火や環境負荷の問題を生じない。